(57)【要約】【課題】ソケットコンタクトのハウジングからの抜け落ち防止を確実なものとすることのできる構造を備えるソケットコンタクトを提供すること。【解決手段】ソケットコンタクト２０は、Ｘ方向に沿って挿入された相手方コンタクト５０と接続するためのものであり、挿入された相手方コンタクト５０から±Ｚ方向に向かう力を受けるバネ部２６ａ及び対向バネ部２６ｂと、Ｘ方向及び±Ｚ方向の双方に斜交するランス２７ａ及び対向ランス２７ｂとを備えている。ここで、ランス２７ａ及び対向ランス２７ｂは、バネ部２６ａ及び対向バネ部２６ｂにて受けた力により±Ｚ方向に向けて押圧されるように構成されている。そのため、ソケットコンタクト２０をハウジング１０内に保持させた状態において、対向ランス２７ｂはランス保持部１８内に確実に配置されることとなる。【選択図】図１
2010153316.tif 000002
【特許請求の範囲】
【請求項１】
第１方向に沿って挿入された相手方コンタクトと接触させられるソケットコンタクトであって、挿入された前記相手方コンタクトから前記第１方向と直交する第２方向に向かう力を受けるバネ部と、前記第１方向及び前記第２方向の双方に斜交するランスであって該バネ部にて受けた力により前記第２方向に向けて押圧されるランスとを備えるソケットコンタクト。
【請求項２】
請求項１記載のソケットコンタクトであって、
前記バネ部を支持するバネ支持部を更に備えており、
前記ランスは、前記バネ支持部に設けられている
ソケットコンタクト。
【請求項３】
請求項２記載のソケットコンタクトであって、
前記バネ部は、前記第１方向及び前記第２方向の双方に斜交するように延びており、
前記バネ部の延びる方向は、前記ランスの延びる方向とは、前記第１方向において同一である一方で前記第２方向において異なっている
ソケットコンタクト。
【請求項４】
請求項２又は請求項３記載のソケットコンタクトであって、
前記相手方コンタクトが挿入される略四角筒状の先端部を備えており、
前記バネ支持部は、前記第２方向に直交する略板状であって、前記先端部の一部を構成している
ソケットコンタクト。
【請求項５】
請求項４記載のソケットコンタクトであって、
前記先端部の一部を構成する略板状の対向バネ支持部であって前記第２方向において前記バネ支持部に対向する対向バネ支持部と、前記対向バネ支持部に支持された対向バネ部と、前記対向バネ支持部に設けられた対向ランスとを更に備えており、
前記バネ部と前記対向バネ部とは、当該ソケットコンタクトの先端に向かって開く八の字状に配置されている
ソケットコンタクト。
【請求項６】
請求項４又は請求項５のソケットコンタクトであって、
中間部と、前記第１方向及び前記第２方向の双方に直交する第３方向において対向するようにして且つ前記中間部から前記先端部に向かって延びる一対の腕部とを更に備えており、
前記腕部の夫々は、前記先端部の一部を構成する端部を有しており、
前記バネ支持部は、一方の前記腕部の前記端部に片持ち梁状に支持され、当該端部から前記第３方向に沿って延びている
ソケットコンタクト。
【請求項７】
請求項１乃至請求項６のいずれかに記載のソケットコンタクトと、前記ソケットコンタクトを保持するハウジングとを備えるコネクタ。
【発明の詳細な説明】
【技術分野】
【０００１】
本発明は、例えばピン状の相手方コンタクトを挿入されるソケットコンタクト及びそれを備えるコネクタに関する。
【背景技術】
【０００２】
この種のソケットコンタクトとしては、例えば、特許文献１に開示されたものがある。特許文献１に開示された雌型コンタクトは、前方に向かって並行して延びる片持ち梁状の接触部（相手方コンタクトとなる雄型コンタクトと接触する部位）と、斜め後方に向かって突出したランスとを備えている。ソケットコンタクトは、ハウジング内に挿入・保持される。この際、ハウジング内に設けられたランス収容部内にランスの先端を収容させることにより、ソケットコンタクトのハウジングからの抜け落ちが防止される。
【０００３】
【特許文献１】特開平７−１９２７９５号公報
【発明の開示】
【発明が解決しようとする課題】
【０００４】
本発明は、特許文献１と比較して、ソケットコンタクトのハウジングからの抜け落ち防止を更に確実なものとすることのできる構造を備えるソケットコンタクト及びそれを用いたコネクタを提供することを目的とする。
【課題を解決するための手段】
【０００５】
本発明によれば、第１のソケットコンタクトとして、第１方向に沿って挿入された相手方コンタクトと接触させられるソケットコンタクトであって、挿入された前記相手方コンタクトから前記第１方向と直交する第２方向に向かう力を受けるバネ部と、前記第１方向及び前記第２方向の双方に斜交するランスであって該バネ部にて受けた力により前記第２方向に向けて押圧されるランスとを備えるソケットコンタクトが得られる。
【０００６】
また、本発明によれば、第２のソケットコンタクトとして、第１のソケットコンタクトにであって、
前記バネ部を支持するバネ支持部を更に備えており、
前記ランスは、前記バネ支持部に設けられている
ソケットコンタクトが得られる。
【０００７】
また、本発明によれば、第３のソケットコンタクトとして、第２のソケットコンタクトにであって、
前記バネ部は、前記第１方向及び前記第２方向の双方に斜交するように延びており、
前記バネ部の延びる方向は、前記ランスの延びる方向とは、前記第１方向において同一である一方で前記第２方向において異なっている
ソケットコンタクトが得られる。
【０００８】
また、本発明によれば、第４のソケットコンタクトとして、第２又は第３のソケットコンタクトにであって、
前記相手方コンタクトが挿入される略四角筒状の先端部を備えており、
前記バネ支持部は、前記第２方向に直交する略板状であって、前記先端部の一部を構成している
ソケットコンタクトが得られる。
【０００９】
また、本発明によれば、第５のソケットコンタクトとして、第４のソケットコンタクトにであって、
前記先端部の一部を構成する略板状の対向バネ支持部であって前記第２方向において前記バネ支持部に対向する対向バネ支持部と、前記対向バネ支持部に支持された対向バネ部と、前記対向バネ支持部に設けられた対向ランスとを更に備えており、
前記バネ部と前記対向バネ部とは、当該ソケットコンタクトの先端に向かって開く八の字状に配置されている
ソケットコンタクトが得られる。
【００１０】
また、本発明によれば、第６のソケットコンタクトとして、第４又は第５のソケットコンタクトにであって、
中間部と、前記第１方向及び前記第２方向の双方に直交する第３方向において対向するようにして且つ前記中間部から前記先端部に向かって延びる一対の腕部とを更に備えており、
前記腕部の夫々は、前記先端部の一部を構成する端部を有しており、
前記バネ支持部は、一方の前記腕部の前記端部に片持ち梁状に支持され、当該端部から前記第３方向に沿って延びている
ソケットコンタクトが得られる。
【００１１】
更に、本発明によれば、第１乃至第６のソケットコンタクトのいずれかと、前記ソケットコンタクトを保持するハウジングとを備えるコネクタが得られる。
【発明の効果】
【００１２】
本発明によれば、ソケットコンタクトがハウジングに保持された状態において、そのソケットコンタクトに相手方コンタクトが挿入されると、その相手方コンタクトの挿入によってランスがハウジング内部に押し付けられることとなる。これにより、ランスのハウジングに対する係止が強化されるので、ソケットコンタクトのハウジングからの抜け落ちも確実に防止される。
【発明を実施するための最良の形態】
【００１３】
図１に示されるように、本発明の実施の形態によるコネクタ１００は、絶縁体からなるハウジング１０と、ハウジング１０に挿入・保持されたソケットコンタクト２０とを備えている。
【００１４】
ハウジング１０には、ソケットコンタクト２０が挿入・保持される保持孔１２が形成されている。保持孔１２は、ハウジング１０の後端１０ｂから前端１０ａに向かって（即ち、−Ｘ方向に沿って）延びており、その上下（即ち、Ｚ方向（第２方向）の両面）にはＸ方向（第１方向）に沿って延びるガイド溝１４，１６が形成されている。本実施の形態においては、ガイド溝１４よりもガイド溝１６の方が短くなるように構成されており、ガイド溝１６よりも前方にはガイド溝１６と離された状態で形成されたランス収容部１８が設けられている。本実施の形態におけるランス収容部１８は、ハウジング１０の底面と保持孔１２とを連通している。本実施の形態におけるハウジング１０には、相手方コンタクト（ピンコンタクト）５０が挿入される挿入孔１９が更に設けられている。この挿入孔１９は、ハウジング１０の前端１０ａと保持孔１２とを連通している。
【００１５】
図１乃至図３に示されるように、本実施の形態によるソケットコンタクト２０は、ケーブル４０の導体部４２と相手方コンタクト５０との電気的接続を図るためのものである。図２及び図３に示されるように、ソケットコンタクト２０は、ケーブル４０を保持するケーブル保持部２１と、ケーブル保持部２１の前方に設けられケーブル４０の導体部４２と接続される接続部２２と、接続部２２の前方に設けられた中間部２３と、中間部２３のＹ方向の両端から−Ｘ方向に向かって延びる腕部２４ａ，２４ｂと、腕部２４ａの先端に設けられたバネ支持部２５ａと、バネ支持部２５ａに支持されたバネ部２６ａと、バネ支持部２５ａに形成されたランス２７ａと、Ｚ方向においてバネ支持部２５ａと対向するように腕部２４ｂの先端に設けられた対向バネ支持部２５ｂと、対向バネ支持部２５ｂに支持された対向バネ部２６ｂと、対向バネ支持部２５ｂに形成された対向ランス２７ｂとを備えている。
【００１６】
本実施の形態による腕部２４ａ，２４ｂは、略板状であり、ＸＺ平面に平行になるように且つＹ方向（第３方向）において互いに対向するように延びている。詳しくは、腕部２４ａ，２４ｂは、いずれも前方に向かって先細に延びる先細部と、その先細部の先端よりも幅広な略長方形形状の端部２４ａ１，２４ｂ１とを備えている。
【００１７】
本実施の形態によるバネ支持部２５ａは、略板状であり、腕部２４ａの端部２４ａ１のＺ方向の一縁（上縁）から−Ｙ方向に向かって延びるように、腕部２４ａに片持ち梁状に支持されている。一方、対向バネ支持部２５ｂは、略板状であり、腕部２４ｂの端部２４ｂ１のＺ方向の一縁（下縁）からＹ方向に向かって延びるように、腕部２４ｂに片持ち梁状に支持されている。腕部２４ａ，２４ｂの端部２４ａ１，２４ｂ１と、バネ支持部２５ａ及び対向バネ支持部２５ｂとは、ソケットコンタクト２０の略四角筒状の先端部３０を構成している。この先端部には、後述するように相手方コンタクト５０が挿入される。
【００１８】
図１及び図２に示されるように、本実施の形態によるバネ部２６ａは、バネ支持部２５ａの後縁（Ｘ方向における一縁）から斜め下方向（Ｘ方向及び−Ｚ方向に斜交する方向）に向かって延びている。同様に、図１及び図３に示されるように、対向バネ部２６ｂは、対向バネ支持部２５ｂの後縁（Ｘ方向における一縁）から斜め上方向（Ｘ方向及びＺ方向に斜交する方向）に向かって延びている。その結果、図１に最も良く示されているように、本実施の形態によるバネ部２６ａ，２６ｂは、前方に向かって開く八の字状に配置されている。ここで、バネ部２６ａと対向バネ部２６ｂの自由端間の間隔は、相手方コンタクト５０のＺ方向の厚みよりも小さく設定されている。
【００１９】
図１及び図２に示されるように、本実施の形態によるランス部２７ａは、バネ支持部２５ａの一部を加工して形成されたものであり、バネ支持部２５ａから斜め上方向（Ｘ方向及びＺ方向に斜交する方向）に向かって延びている。即ち、本実施の形態によるランス２７ａは対応するバネ部２６ａと同様にＸ方向に延びているが、ランス２７ａが斜め上方向に延びているのに対してバネ部２６ａが斜め下方向に延びている点で両者は異なっている。本実施の形態においては、バネ支持部２５ａが腕部２４ａに片持ち梁状に支持されていることから、バネ部２６ａに対してＺ方向に沿った力（上向きの力）が加わると、その力によりランス２７ａが上向きに（Ｚ方向に）押圧される。
【００２０】
図１及び図３に示されるように、本実施の形態による対向ランス２７ｂは、対向バネ支持部２５ｂの一部を加工して形成されたものであり、対向バネ支持部２５ｂから斜め下方向（Ｘ方向及び−Ｚ方向に斜交する方向）に向かって延びている。即ち、本実施の形態による対向ランス２７ｂは、対応する対向バネ部２６ｂと同様にＸ方向に延びているが、対向ランス２７ｂが斜め下方向に延びているのに対して対向バネ部２６ｂが斜め上方向に延びている点で両者は異なっている。図１に最も良く示されているように、ランス２７ａと対向ランス２７ｂとは、後方に向かうに従って開く八の字状に配置されている。本実施の形態においては、対向バネ支持部２５ｂが腕部２４ｂに片持ち梁状に支持されていることから、対向バネ部２６ｂに対して−Ｚ方向に沿った力（下向きの力）が加わると、その力により対向ランス２７ｂが下向きに（−Ｚ方向に）押圧される。
【００２１】
図１から理解されるように、ソケットコンタクト２０は、ハウジング１０の後端１０ｂから前端１０ａに向けて保持孔１２内に挿入される。この際、ランス２７ａ及び対向ランス２７ｂは、ハウジング１０内に形成されたガイド溝１４，１６にガイドされる。本実施の形態においては、ランス２７ａ及び対向ランス２７ｂがソケットコンタクト２０の先端部３０に設けられていることから、ソケットコンタクト２０をハウジング１０の保持孔１２に挿入する際には、挿入動作のほぼ当初から挿入ガイドが行われることとなる。従って、本実施の形態によれば、誤挿入等に起因してソケットコンタクト２０が変形するといったことを防止することができる。一方で、本実施の形態においては、ランス２７ａと対向ランス２７ｂの２つのランスが設けられていることから、ソケットコンタクト２０の上下を逆にしてもソケットコンタクト２０を保持孔１２に挿入することができる。
【００２２】
ソケットコンタクト２０を保持孔１２内に挿入しきると、対向ランス２７ｂの先端はランス収容部１８内に収容される。この状態において、ソケットコンタクト２０に後向きの力（Ｘ方向に沿った力）が加えられると、対向ランス２７ｂの先端はランス収容部１８内の後端壁１８ａに当接し、従って、ソケットコンタクト２０の保持孔１２からの抜け落ちが防止される。本実施の形態においては、この対向ランス２７ｂの機能を対向バネ部２６ｂにより更に強化している。詳しくは、相手方コンタクト５０が挿入孔１９及びソケットコンタクト２０の先端部３０を介してソケットコンタクト２０内に挿入されてくると、そのソケットコンタクト２０のバネ部２６ａと対向バネ部２６ｂとは、相手方コンタクト５０によって互いに離されるような力を受ける。即ち、相手方コンタクト５０の挿入によりバネ部２６ａと対向バネ部２６ｂとは、Ｚ方向外側に向かう力（夫々、上方向及び下方向に向かう力）を受け、開くこととなる。この力は、それぞれバネ支持部２５ａ及び対向バネ支持部２５ｂを介してランス２７ａ及び対向ランス２７ｂに伝達され、ランス２７ａと対向ランス２７ｂも開く方向（互いに離れる方向）へ力を受ける。これにより、相手方コンタクト５０が挿入された状態においてソケットコンタクト２０を後方に移動させようとしても、対向ランス２７ｂの先端が確実にランス収容部１８の後端壁１８ａに当接することとなり、ソケットコンタクト２０の抜け落ちが防止される。
【００２３】
なお、本実施の形態によるハウジング１０は、保持孔１２の下側のみにランス収容部１８を有していたが、上側にランス収容部を設けることとしてもよい。但し、製造のし易さや、ソケットコンタクト２０をハウジング１０から意図的に抜去する際の取扱い等を考慮すると、本実施の形態のように、ランス収容部１８は保持孔１２の下側のみに形成する方がよい。
【図面の簡単な説明】
【００２４】
【図１】本発明の実施の形態によるコネクタを示す断面図である。
【図２】図１のコネクタに含まれるソケットコンタクトを示す斜視図である。
【図３】図２のソケットコンタクトを示す他の斜視図である。
【符号の説明】
【００２５】
１０        ハウジング
１０ａ      前端
１０ｂ      後端
１０ｃ      底面
１２        保持孔
１４        ガイド溝
１６        ガイド溝
１８        ランス収容部
１９        挿入孔
１８ａ      後端壁
２０        ソケットコンタクト
２１        ケーブル保持部
２２        接続部
２３        中間部
２４ａ，２４ｂ        腕部
２４ａ１，２４ｂ１        端部
２５ａ      バネ支持部
２５ｂ      対向バネ支持部
２６ａ      バネ部
２６ｂ      対向バネ部
２７ａ      ランス
２７ｂ      対向ランス
３０        先端部
４０        ケーブル
４２        導体部
５０        相手方コンタクト
１００      コネクタ
【図１】
2010153316.tif 000003
【図２】
2010153316.tif 000004
【図３】
2010153316.tif 000005
【手続補正書】
【提出日】平成21年2月6日(2009.2.6)
【手続補正１】
【補正対象書類名】特許請求の範囲
【補正対象項目名】全文
【補正方法】変更
【補正の内容】
【特許請求の範囲】
【請求項１】
第１方向に沿って挿入された相手方コンタクトと接触させられるソケットコンタクトであって、挿入された前記相手方コンタクトから前記第１方向と直交する第２方向に向かう力を受けるバネ部と、前記第１方向及び前記第２方向の双方に斜交するランスであって該バネ部にて受けた力により前記第２方向に向けて押圧されるランスとを備えるソケットコンタクト。
【請求項２】
請求項１記載のソケットコンタクトであって、
前記バネ部を支持するバネ支持部を更に備えており、
前記ランスは、前記バネ支持部に設けられている
ソケットコンタクト。
【請求項３】
請求項２記載のソケットコンタクトであって、
前記バネ部は、前記第１方向及び前記第２方向の双方に斜交するように延びており、
前記バネ部の延びる方向は、前記ランスの延びる方向とは、前記第１方向において同一である一方で前記第２方向において異なっている
ソケットコンタクト。
【請求項４】
請求項２又は請求項３記載のソケットコンタクトであって、
前記相手方コンタクトが挿入される略四角筒状の先端部を備えており、
前記バネ支持部は、前記第２方向に直交する略板状であって、前記先端部の一部を構成している
ソケットコンタクト。
【請求項５】
請求項４記載のソケットコンタクトであって、
前記先端部の一部を構成する略板状の対向バネ支持部であって前記第２方向において前記バネ支持部に対向する対向バネ支持部と、前記対向バネ支持部に支持された対向バネ部と、前記対向バネ支持部に設けられた対向ランスとを更に備えており、
前記バネ部と前記対向バネ部とは、当該ソケットコンタクトの先端に向かって開く八の字状に配置されている
ソケットコンタクト。
【請求項６】
請求項４又は請求項５のソケットコンタクトであって、
中間部と、前記第１方向及び前記第２方向の双方に直交する第３方向において対向するようにして且つ前記中間部から前記先端部に向かって延びる一対の腕部とを更に備えており、
前記腕部の夫々は、前記先端部の一部を構成する端部を有しており、
前記バネ支持部は、一方の前記腕部の前記端部に片持ち梁状に支持され、当該端部から前記第３方向に沿って延びている
ソケットコンタクト。
【請求項７】
請求項１乃至請求項６のいずれかに記載のソケットコンタクトと、前記ソケットコンタクトを保持するハウジングとを備えるコネクタ。
【請求項８】
挿入された相手方コンタクトと接触させられるソケットコンタクトであって、挿入された前記相手方コンタクトから力を受けるバネ部と、前記バネ部を支持するバネ支持部と、前記バネ支持部に設けられたランスとを備えるソケットコンタクト。